(57)【特許請求の範囲】
【請求項１】
各々かご内に２種類の光源を有する自かごと他かごを備え、制御装置により予め定められる設定時刻に点灯する光源を切り替えるエレベータであって、
前記制御装置は、自かごが、かご内に乗客が居ない場合で、他かごが、消灯されておらず、かご内に乗客が居らず、且つ、ドアが閉じている場合に、前記自かごの光源の切り替えを行うと共に、前記他かごに光源の切り替えを指示することを特徴とするエレベータ。
【請求項２】
前記光源は第１の光源と第２の光源を含み、
前記制御装置は、前記自かごにおいて、呼び登録無し状態が予め定められる所定時間継続したことに応じ前記第１の光源を消灯している場合、呼び登録に応じて前記光源を点灯させる際に、前記第２の光源を点灯させる、ことを特徴とした請求項１に記載のエレベータ。
【請求項３】
前記制御装置は、前記自かごにおける前記第１の光源から前記第２の光源に切り替える際に、前記第１の光源が点灯している場合、前記自かごのかご内に乗客がおらずドアも閉じられている場合に、前記第１の光源を消灯し、前記第２の光源を点灯させる、ことを特徴とした請求項２に記載のエレベータ。
【請求項４】
前記制御装置は、前記自かごにおいて、前記光源を切り替えられなかった場合、あらかじめ定める時間経過後、前記かご内に乗客が居ない場合に前記光源の切り替えを行う請求項３に記載のエレベータ。
【請求項５】
前記制御装置は、あらかじめ設定される時刻と点灯すべき光源の関係である時刻毎照明管理表が格納される記憶装置を備え、
制御装置は時刻及び点灯対象となっている光源を管理し、
前記時刻と前記点灯対象の光源の対応が、前記時刻毎照明管理表と一致していない場合、前記光源の切り替えを行う、
ことを特徴とした請求項１に記載のエレベータ。
【請求項６】
光源用の電源容量として二つの光源を同時に点灯させることが出来ない量の電源を備えることを特徴とした請求項１に記載のエレベータ。
【請求項７】
請求項１記載のエレベータであって、
前記自かごにおいて、予め定められる設定時刻以降で、前記光源の切り替える、
ことを特徴としたエレベータ。
【発明の詳細な説明】
【技術分野】
【０００１】
本発明は、エレベータ及びエレベータ群に関する。
【背景技術】
【０００２】
特許文献１には、かご内に、２種類以上の光源を備え、所定条件で光源の切り替えを行うかご照明装置が記載されている。ここでは、乗りかご内蛍光灯、天井内側電球、天井周囲電球等のうち少なくとも２種類以上の照明器具を有し、時間帯に応じて点灯させる照明器具の切り替え、或は調光を行いことが記載されている。
【先行技術文献】
【特許文献】
【０００３】
【特許文献１】特開２００３−１４６５４２号公報
【発明の概要】
【発明が解決しようとする課題】
【０００４】
特許文献１の記載の技術は、光源の切り替えあるいは調光は、タイマにより、例えば朝、昼、夜の時間帯に行われる。すなわち、切り替えタイミングはタイマにより設定した時刻であり、エレベータの利用状況については考慮されていない。このため、かご内に乗客が居る状況で切り替えタイミングとなると、光源の切り替えが乗客に視認され、乗客に不安感や不快感を覚えさせるおそれがあった。
【課題を解決するための手段】
【０００５】
各々かご内に２種類の光源を有する自かごと他かごを備え、制御装置により予め定められる設定時刻に点灯する光源を切り替えるものであって、前記制御装置は、自かごが、かご内に乗客が居ない場合で、他かごが、消灯されておらず、かご内に乗客が居らず、且つ、ドアが閉じている場合に、前記自かごの光源の切り替えを行うと共に、前記他かごに光源の切り替えを指示する。
【発明の効果】
【０００６】
本発明によれば、予め定められる設定時刻以降で、かご内に乗客が居ないときに光源の切り替えを行うことにより、乗客に視認されることなく光源の切り替えを行うことができ、サービス性の向上を図ることができる。
【図面の簡単な説明】
【０００７】
【図１】本発明が適用されるエレベータのかご内正面図である。
【図２】エレベータの乗場の側面図である。
【図３】エレベータの構成を示すブロック図である。
【図４】本発明の第１の実施形態を示すフローチャートである。
【図５】本発明の第２の実施形態を示すフローチャートである。
【図６】本発明の第２の実施形態の派生案を示すフローチャートである。
【発明を実施するための形態】
【０００８】
以下、本発明に係るエレベータのかご照明装置の実施形態を図に基づき説明する。
【０００９】
（実施形態１）
図１はエレベータのかご内正面図である。エレベータのかご１には、かご床２と、かご床２の周囲に立設される側板３と、側板３上端から延在し、かご床２と対向するかご天井４と、かご天井４に配置され、第１の点灯色、例えば昼白色の光源である第１のＬＥＤ５と、かご天井４に配置され、第２の点灯色、例えば電球色の光源である第２のＬＥＤ６と、かご出入口に配置されるかごドア７と、かごドア７の近傍に設置され、呼びを登録可能なかご内操作盤８とを備えている。なお、第１のＬＥＤ５及び第２のＬＥＤ６の点灯色についてであるが、昼白色の第１のＬＥＤ５を昼間の時間帯に点灯させると共に、電球色の第２のＬＥＤ６を夜間の時間帯に点灯させることで、照明が乗客の生体リズムに与える影響を考慮したものとしている。また、第１のＬＥＤ５及び第２のＬＥＤ６は、それぞれ図示しない電源から給電されて点灯するものである。ここでは各照明をかご天井６に配置しているが、側板や床面に配置されてもよく、第１のＬＥＤと第２のＬＥＤが異なる面に配置されても良い。
【００１０】
図２はエレベータの乗場の側面図である。エレベータの乗場９には、かごドア７と対向可能な乗場ドア１０と、乗場呼びを登録する乗場釦１１と、かご１の位置を表示するかご位置表示装置１２とが設けられている。
【００１１】
図３はエレベータの構成を示すブロック図である。エレベータ制御装置１３はエレベータの運転を制御するものであり、機械室等に配置されている。エレベータ制御装置１３はＣＰＵ２０，記憶部２１を備える。記録部２１にはあらかじめ設定される時刻と記憶部に時間と点灯すべき照明の関係である時刻毎照明管理表が格納され、また接続されるかごごとに現在点灯対象となっている照明がどちらかも格納されている。ここで点灯対象となっている照明とは現在点灯している照明、又は、現在休止中などで点灯はしていないが次回起動時に点灯させる予定の照明である。また、記憶部２１には現在照明が点灯しているかや、ドアの開閉状況、乗客の有無等が格納されていてもよい。ＣＰＵ２０はエレベータ制御装置１３としての処理を実行する。詳細は後述するが、現在時刻を管理し、記憶部２１に格納される時刻毎照明管理表と現在び点灯対象照明を比較し、現在の時刻と点灯対象照明が不一致の場合、かご制御装置１４に照明切り替え指示を出力する。なお、ここでＣＰＵ２０の管理する時刻は、保守契約を結んでいれば定期的に自動で遠隔補正されるものである。一方、保守契約を結んでいない、或いは保守契約を結んでいるが遠隔補正に対応できないエレベータの場合、保守員が出向いて設定しない限り、経年により時刻にずれが生じることになる。このようなエレベータには、例えばかご内操作盤８の保守用スイッチ収納部に設置されたり、行先階釦や開閉釦の組合せによる暗号操作でＯＦＦ−ＯＮ操作される時刻補正用スイッチを備え、この時刻補正用スイッチのＯＦＦ−ＯＮ操作により、予め設定した時刻に補正する機能を追設し、顧客自身で時刻補正を行えるようにすることができる。
かご１は、エレベータ制御装置１３に接続されると共に、ＣＰＵ２２及び記憶部２３を備えるかご制御装置１４を備える。このかご制御装置１４により、第１のＬＥＤ５及び第２のＬＥＤ６を備えるかご照明装置１５と、かごドア７の開閉を行うドア装置１６と、かご１内の乗客を検出する乗客検出装置、例えば秤装置１７とが制御される。なお、かご制御装置１４は、呼び登録無し状態が予め定められる所定時間継続したときに、光源である第１のＬＥＤ５又は第２のＬＥＤ６を消灯すると共に、呼び登録に応じて第１のＬＥＤ５又は第２のＬＥＤ６を再点灯するように設定されている。これはかご１内に乗客が居ないときに第１のＬＥＤ５及び第２のＬＥＤ６を消灯することで省エネルギ―化を図るためである。また、詳しくは後述するが、かご制御装置１４は、エレベータ制御装置１３からの指令に応じ、第１のＬＥＤ５又は第２のＬＥＤ６を選択して点灯する。また、かご制御装置１４は、呼び登録無し状態が予め定められる所定時間継続され、第１のＬＥＤ５又は第２のＬＥＤ６のいずれかが点灯中の場合これを消灯させる。
【００１２】
乗場９には、エレベータ制御装置１３に接続されると共に、ＣＰＵ２４を有して構成される乗場制御装置１８が設けられ、この乗場制御装置１８に、乗場釦１１の操作信号が入力され、かつ乗場制御装置１８によりかご位置表示装置１２の制御が行われる。  
図４は第１の実施形態の照明の切り替え判断示すフローチャートである。なお、ここでは、昼間の時間帯（朝６時〜夜６時）に点灯する昼白色の第１のＬＥＤ５から夜間の時間帯（夜６時〜翌朝６時）に点灯する電球色の第２のＬＥＤ６への切り替えを例として説明する。  エレベータ制御装置１３は、Ｓ１として現在時刻と現在点灯対象となっている照明があっていないか確認をする。具体的には、エレベータ制御装置１３は、現在時刻、記憶部２１に格納される時刻毎照明管理表と、現在点灯対象照明を比較し、現在の時刻と点灯対象照明が不一致の場合、かご制御装置１４に照明切り替え指示を出力する。例えば、夜六時になったことを判断すると、第２のＬＥＤ６が点灯対象となっているか判断し、第２のＬＥＤ６が点灯対象となっておらず、すなわち第１のＬＥＤ５が点灯対象となっている場合、かご制御装置１４に第２のＬＥＤ６に照明を切り替えるよう指示を送る。Ｓ２では、照明切り替え指示を受けたエレベータ制御装置１３はかご内光源が現在消灯状態か判断する。例であれば、現在点灯対象となっている第１のＬＥＤ５が現在消灯しているかどうかを判断する。Ｓ２で第１のＬＥＤ５が消灯していることが判断されると、かご１内に乗客がいないとみなされ、Ｓ３としてかご制御装置１４は点灯対象光源を第１のＬＥＤ５から第２のＬＥＤ６に切り替え、切り替えた情報をエレベータ制御装置１３に送信する。この時に、この時に記憶部２３に格納される点灯対象光源を第１のＬＥＤ５から第２のＬＥＤ６に書き換える。乗場釦１１が操作されて呼びが登録されたときに、第２のＬＥＤ６を点灯し呼びに応じて通常運転を継続する。
【００１３】
一方、手順Ｓ２で第１のＬＥＤ５が点灯状態であることが判断されると、手順Ｓ５に移行し、秤装置１７からの信号に基づきかご１内に乗客が居ないかどうかが判断される。このとき、かご１内に乗客が居ないことが判断されると、手順Ｓ６として、ドア７が閉じているかどうかが判断され、ドア７が閉じている場合、Ｓ７として、第１のＬＥＤ５を消灯すると共に、点灯対象光源の切り替えを行い、第２のＬＥＤ６を点灯し、切り替えた旨をエレベータ制御装置１３に送信する。
一方、手順Ｓ１で時刻と光源が一致している場合、エレベータ制御装置はＳ４として一定時間待つ。また、手順Ｓ５でかご１内に乗客が居る場合、手順Ｓ６でドア７が開いている場合、かご制御装置１４はエレベータ制御装置１３に一度エラーなどを送信し、エレベータ制御装置１３はＳ４として一定時間待つ。このＳ４のＷＡＩＴはＳ５やＳ６のＮＯなど、一時的に点灯対象光源が切り替えられなかった場合と、Ｓ１がＮＯやＳ３やＳ７を介して処理を実行し、現在時刻と点灯対象光源が一致している事が期待される場合とで、処理が異なってよい。例えば前者は１０分や１５分後になど短い時間経過後に実行し、後者は１２時間など長期間で時刻と点灯対象光源の不一致が発生しそうな場合に実行されるようにしてもよい。なお、本実施例では光源を切り替える事が出来ない場合、かご制御装置１４はエレベータ制御装置１３にエラーなどの報告をし、エレベータ制御装置１３で一定時間待っているが、かご制御装置１４側で一定時間待っても良い。
【００１４】
第１の実施形態によれば、予め定められる設定時刻以降で、かご１内に乗客が居ないときに光源の切り替えを行うことにより、かご１内の乗客に視認されることなく光源の切り替えを行うことができ、これによって、乗客に不安感や不快感を覚えさせることがなく、サービス性の向上を図ることができる。また、かご１内の乗客が無検出で、かつドア閉じを検出したときにも行うようにすることで、照明切り替え時刻が過ぎた後、呼びが断続的に登録されることで呼び登録無しの光源が点灯状態が所定時間継続しない場合でも、かご１内に乗客が居ないときに、光源の切り替えを行うことで、照明切り替え時刻から比較的早い段階で、乗客に視認されることなく切り替えを実現することができる。  また、光源を消灯した後、他方の光源を点灯し、光源の切り替えを行うようにすることで、第１のＬＥＤ５及び第２のＬＥＤ６の電源を共通化し、総容量を１台分の電源容量に抑えると共に、照明回路が複雑化することを避け、これによって、省エネルギ―化、及びコスト低減を図ることができる。
【００１５】
（実施形態２）
ここで、複数台、例えば２台のエレベータが併設されたものにあって、かご内の光源を切り替える手順を図５に基づき説明する。また、それぞれのエレベータのかご１内の構造は前述した図１を参照して説明すると共に、ここで昼間の時間帯（朝６時〜夜６時）に点灯する昼白色の第１のＬＥＤ５から夜間の時間帯（夜６時〜翌朝６時）に点灯する電球色の第２のＬＥＤ６への切り替えを例として説明する。
【００１６】
制御装置は、Ｓ１１に示すように、エレベータ制御装置１３は一定時間毎又はあらかじめ設定した時刻に、点灯対象光源が現在の時刻に対応しているものか確認する。もし、光源と時刻があっていない場合、Ｓ１２に進み、エレベータ制御装置１３は各かごのかご制御装置１４に光源を変更するよう指示を送信する。指示を受信したかご制御装置１４はＳ１２の判断を実施する。なお、各かご制御装置１４はそれぞれ光源切り替え判断を行う。本実施形態の説明ではある一つのかご制御装置１４の処理を取り上げるが、当該かご制御を備えるかごを自かご、他方のかごを他かごと便宜的に呼称する事がある。エレベータ制御装置１３から光源変更指示を受領すると、かご制御装置は自かごが消灯している場合、又はかご内に客がおらず（Ｓ１５：ＮＯ）、ドアを閉じている場合（Ｓ１６：ＹＥＳ）の場合、自かごの光源変更準備は整っていると判断し、Ｓ１３の判断に進む。次にＳ１３では、かご制御装置現在時刻が光源切り替え予定時刻からさらに一定時間以上経過している、又は他かごが点灯対象光源を切り替え済（時刻と点灯対象光源が一致している）のいずれかの条件を満たしているかを確認する。上記はエレベータ制御装置１３からかご制御装置現在時刻が光源切り替え予定時刻からさらに一定時間以上経過しているかの情報、及び他かごが点灯対象光源を切り替え済かの情報を受領することで、かご制御装置１４が判定する。なお、Ｓ１３の前にかご制御装置はエレベータ制御装置に自かごの光源変更準備が整っている旨送信し、Ｓ１３はエレベータ制御装置１３が実行しても良い。上記いずれかの条件を満たす場合、Ｓ１４として、かご制御装置１４は自かごの点灯対象光源を切り替え、切り替えた旨をエレベータ制御装置１３に送信する（Ｓ１４）。
【００１７】
例えば、予め記憶した照明切り替え時刻、例えば１８：００になった後、手順Ｓ１２で自かごにあって、第１のＬＥＤ５が消灯しているか乗客がおらずドア閉じ状態であり、かつ手順Ｓ１３で、他かごが点灯対象光源が第２のＬＥＤ６に切り替わっているか、１８：３０など照明切り替え時刻からさらに一定以上時間がたってしまっている場合には、自かごの点灯対象光源を第１のＬＥＤ５から第２のＬＥＤ６に切り替える。これは光源切り替え時刻が過ぎた後も一方のエレベータの稼働が続いていることで、長時間にわたり光源の切り替えを行うことができない事態を回避するためである。
【００１８】
また、Ｓ１３において、他かごも切り替え済でなく、現在時刻が光源切り替え予定時刻からさらに一定時間以上経過していない場合であっても、他かごが消灯しているか（Ｓ１７  ＹＥＳ）、他かごに乗客がおらず（Ｓ１８  ＹＥＳ）ドアが閉じている場合（Ｓ１９  ＹＥＳ）、かご制御装置１４は、自かごの点灯対象光源を切り替え、切り替えた旨をエレベータ制御装置１３に送信する。なお、上記の判断に必要な情報はエレベータ制御装置１３を介して取得する。上記の条件を満たさない場合は、かご制御装置１４はエレベータ制御装置１３にエラーを返してＳ２０に進み、一定時間経過後，エレベータ制御装置１３はＳ１１から再度フローを回す。
【００１９】
図６は、本発明の第２の実施形態の派生案を示すフローチャートである。図５からの変更点はＳ２１が追加された点である。Ｓ２１は他かごが消灯しているか（Ｓ１７  ＹＥＳ）、他かご内にエレベータに乗客がおらず（Ｓ１８  ＹＥＳ）且つドアが閉じている場合（Ｓ１９  ＹＥＳ）に、かご制御装置１４又は他かごの光源も切り替えてしまう処理である。この処理はかご制御装置１４が直接他のかご制御装置に指示を出しても良いし、エレベータ制御装置１３に通知し、エレベータ制御装置１３から他のかご制御装置１４に通知しても良い。こうする事で、確実に同じタイミングで点灯対象光源を切り替える事が出来、複数のエレベータで光源が違うのがユーザに見えるという事象を防ぐ事が出来る。
【００２０】
第２の実施形態によれば、複数のエレベータが併設されたものにあって、同時にかご１内の光源の切り替えを行うことができ、これによって、照明制御において統一感を持たせることができる。
【００２１】
また、前述の実施形態では、光源を２種類のＬＥＤ５、６としたが、光源の種類を増やし、点灯色をさらに多くすることもできることは言うまでもない。
【００２２】
また、かご制御装置１４は、エレベータ制御装置１３からの指令を記憶部１４ｂに記憶し、時刻に応じて第１のＬＥＤ５又は第２のＬＥＤ６を選択して点灯するようにしているが、本発明はこれに限らず、エレベータ制御装置１３からの直接の指令に基づきＬＥＤ５及び第２のＬＥＤ６の切り替えを行うようにすることもできる。つまりエレベータシステムのいずれかの制御部が処理を実行すれば良い。
【符号の説明】
【００２３】
１  かご
５  第１のＬＥＤ
６  第２のＬＥＤ
７  かごドア
１３  エレベータ制御装置
１４  かご制御装置
１５  かご照明装置
１７  秤装置（乗客検出装置）
【図１】
0006294196.tif 000002
【図２】
0006294196.tif 000003
【図３】
0006294196.tif 000004
【図４】
0006294196.tif 000005
【図５】
0006294196.tif 000006
【図６】
0006294196.tif 000007